(57)【特許請求の範囲】
【請求項１】
柄部の先に前後方向に揺動可能に支持され平坦な開口部と該開口部近くの中央部を横方向に通る蓋の揺動軸線上に設けた蓋の揺動支持部と蓋の揺動軸線の周りに回転形の形に窪んだ内壁部を備え上方に開口する容器と、該容器上に被さり前記開口部の内側を接近して被う周縁部と該周縁部の内側の被い部を有し前記周縁部の近くを前記蓋の揺動支持部に前後方向に揺動可能に支持された蓋を備え、糞の排出時に操作手段により容器の上方の開口部が前方側に回転する時に蓋が容器内で後方側に回転して蓋と容器が重なり合って前方に開く犬糞等の捕捉運び器具において、
蓋の周縁部の周りに設けたリング溝と、該リング溝に嵌る切口を有する割りリングと、蓋の揺動軸線の前側のリング溝の溝底と割りリングの内壁面間に装着された前弾性拡張部材と、蓋の揺動軸線の後側のリング溝の溝底と割りリングの内壁面間に装着された後弾性拡張部材からなる気密手段を備えることを特徴とする犬糞等の捕捉運び器具。
【請求項２】
後弾性拡張部材の反発力を前弾性拡張部材の反発力より強く設定したことを特徴とする請求項１記載の犬糞等の捕捉運び器具。
【発明の詳細な説明】
【技術分野】
【０００１】  本発明は、犬等の散歩の際に持ち歩き、その糞を捕捉しそれを決められた場所に排出するための犬糞等の捕捉運び器具に関する。特に容器を閉止する蓋の周縁部分に設けられる気密手段の改良に関する。
【背景技術】
【０００２】  ２００５年６月３０日に公開されたＰＣＴ／ＪＰ２００４／０１８６８７号に開示されるものは、柄の先に揺動する受容器を備え蓋が被さる時に受容器が柄部と略直角に上向きになり、糞の排出の時に柄部と略平行に前向きに大きく開き、その開閉の間の位置で受容器が糞の捕捉に適した傾きで開くものであり、大別して２種類のものが示されている。一つは蓋と受容器が受容器の開口部の両横に設けた支持点の周りで互いに対向方向に揺動回転して受容器の開口部を開閉するものであり、もう一つは蓋と受容器が受容器の開口部の一方側に設けた各々の支持点上で互いに対向方向に扇形（セクタ）に揺動してその開口部を開閉するものである。
このうち後者のものは、蓋による受容器内の糞の掻き出しが行えないので容器内に糞が付着して残るなどの欠点がある。
【発明の開示】
【発明が解決しようとする課題】
【０００３】    本発明の目的は、糞の排出の際の掻き出し効果に優れ、且つ軽快な開閉操作の出来る犬糞等の捕捉運び器具を提供するにある。
【課題を解決するための手段】
【０００４】  本発明の犬糞等の捕捉運び器具は、柄部の先に前後方向に揺動可能に支持され平坦な開口部と該開口部近くの中央部を横方向に通る蓋の揺動軸線上に設けた蓋の揺動支持部と蓋の揺動軸線の周りに回転形の形に窪んだ内壁部を備え上方に開口する容器と、該容器上に被さり前記開口部の内側を接近して被う周縁部と該周縁部の内側の被い部を有し前記周縁部の近くを前記蓋の揺動支持部に前後方向に揺動可能に支持された蓋を備え、糞の排出時に操作手段により容器の上方の開口部が前方側に回転する時に蓋が容器内で後方側に回転して蓋と容器が重なり合って前方に開く犬糞等の捕捉運び器具において、
蓋の周縁部の周りに設けたリング溝と、該リング溝に嵌る切口を有する割りリングと、蓋の揺動軸線の前側のリング溝の溝底と割りリングの内壁面間に装着された前弾性拡張部材と、蓋の揺動軸線の後側のリング溝の溝底と割りリングの内壁面間に装着された後弾性拡張部材からなる気密手段を備えている。
そこで、糞の排出の際に蓋がその閉止位置から開き位置に移動する時に、その割りリングの後側は容器の内壁部に強く押し当てられて動き、容器内の糞を付着するものも一緒に前方へ押出す。そして蓋は容器の内側に重なって前方に開く。【０００５】  又、上記気密手段の弾性拡張部材は、後弾性拡張部材の反発力を前弾性拡張部材の反発  力より強めに設定するようにすることが出来る。
【発明の効果】
【０００６】  糞の排出の際に蓋がその閉止位置から開き位置に移動する時に、割りリング７２の後側は容器の後側の内壁部に強く押し当てられて動き、容器内の糞を付着するものも一緒に前方へ掻き出す効果を発揮する。【０００７】割リングの押し付け力の分布を所望に制御することにより、蓋の揺動時の摩擦抵抗力と容器内の気密保持力を適正に調製することが出来るので、糞の排出の際の掻き出し効果に優れ、且つ軽快な開閉操作の出来る犬糞等の捕捉運び器具を提供することが出来る。
【発明を実施するための最良の形態】
【０００８】  蓋の気密手段が蓋の周縁部の周りに設けたリング溝と、該リング溝に嵌る切口を有する割りリングと、蓋の揺動軸線の前側のリング溝の溝底と割りリングの内壁面間に装着された前弾性拡張部材と、蓋の揺動軸線の後側のリング溝の溝底と割りリングの内壁面間に装着された後弾性拡張部材を備えるように実施する。
【実施例１】
【０００９】  第１〜３図は、蓋と受容器が受容器の開口部の両横に設けた支持点の周りで互いに対向方向に揺動して受容器の開口部を開閉するようになっている実施例を示す。
柄１の上端にある把持部５から先方へ長く伸びる柄部２の先に、柄部２と交差する中心軸線を有する円筒形の孔から成る柄の支持部４が設けられる。柄の支持部４の中心軸線である柄の揺動軸線３は、ここでは容器と蓋の揺動軸線をなす。容器８は平坦に開く開口部６と窪んだ内壁部７を有しており、その開口部６の片側に容器被支持部となる容器基軸部９を備えている。該容器基軸部９は開口部６と平行に容器の中心部を通る軸心を有し、柄の支持部４に回転自在に嵌まる直径の軸部であって、容器８は該容器基軸部９により柄部２の一方の側部に柄の揺動軸線３の周りで揺動自在に支持されている。
容器８の内側には蓋１１が取付けられている。該蓋１１は容器の開口部６を密接に接触して被う平坦な気密手段１２と内側の被い部１０を有しその周縁部分の片側に蓋基軸部１３を備えている。該蓋基軸部１３は気密手段１２が柄の揺動軸線３と平行に支持されるように蓋の中心部を通る軸心を有し、容器基軸部９の内部に同心に穿たれた蓋基軸孔１４に回転自在に嵌まっている。そこで、蓋１１は容器８内で揺動することが出来、容器８と蓋１１は共に柄の揺動軸線３上で揺動する。気密手段１２は、ここでは、蓋の周縁部分に設けられたリング溝に嵌まるゴム製のパイプ状のシールリングになっている。
容器８と蓋１１は、ここでは、共に柄の揺動軸線３を中心軸線とする円の回転形である球形を略半分にした形の略半球形になっている。
従って、開口部６と気密手段１２周囲は円形である。柄部２を間にして、受容器基軸部９の容器側と反対側の位置に、柄の揺動軸線３の前側で半径方向に伸びてその端部にリンクピン１５を備える容器レバー１６が設けてある。一方、柄部２上には、軸方向に滑動自在に嵌る操作ロッド１７があって、該操作ロッド１７の下端部には前後に並列に２つのリンクピン１８と１９が設けてある。そして、前側のリンクピン１８と容器レバー１６のリンクピン１５とが容器リンク２０を介して連結されている。
同じように、蓋基軸部１３の蓋側と反対側の位置には、柄の揺動軸線３の後側で前記容器レバー１６と対称形に半径方向に伸びて、その端部にリンクピン２１を備える蓋レバー２２が設けてある。そして、後側のリンクピン１９と蓋レバー２２のリンクピン２１とが蓋リンク２３を介して連結されている。
操作ロッド１７の上部はその前側の部分が上方に長く伸びており、この上部に伸びる部分にレバー孔２４が穿けてある。把持部５より指が届く程の位置の柄部２の後ろ側のピン受け部に横方向の支持ピン２５が固定されており、該支持ピン２５に支持されて柄部２を前後方向に貫通して前後に伸び出る操作レバー２６が設けてある。該操作レバー２６は柄部２の前側に突出する前レバー部２７と後ろ側に突出する後レバー部２８からなり支持ピン２５を支点にして上下にシーソーように揺動することが出来る。【００１０】  そこで、第１図に示すように前レバー部２７を一杯に引き上げた時に、操作ロッド１７が一杯に引き上げられ、容器リンク２０と蓋リンク２３は容器レバー１６と蓋レバー２２を回して容器と蓋とを閉止状態にする。この時容器８はその開口部６が柄部２に対して略直角になるように上向きとなっており、その上から蓋１１が下向きになり、その気密手段１２が開口部６を塞いでいる。容器内の糞は外部に漏れることなく、その臭気もシールリングの働きでもれることがない。通常は、この縦にした状態で持ち歩く。【００１１】  第２図では後レバー部２８が一杯に引き上げられている。この時に操作ロッド１７が一杯に押し下げられて容器リンク２０と蓋リンク２３は容器レバー１６と蓋レバー２２を介して容器と蓋とを開放状態にする。容器８は柄部２の後ろ側にあって、その開口部６は柄部２と略平行に立って前側に向き、蓋１１がその内側で重なり合うようにしてその気密手段１２が柄部２と略平行に立って前側に向かって開いている。糞の排出は通常はこの第２図のように柄を縦にした状態で行う。第１図に示す容器の開口部６が蓋の気密手段１２に閉止された状態から第２図の状態に移動する際に、蓋の気密手段１２は容器の内壁部７を掃くようにして移動し、容器８内の糞を内壁部７に付着するものも一緒に前方へ押出す。容器８の内壁部７が柄の揺動軸線３を中心にした回転面であることの利点の一つである。
【実施例２】
【００１２】  第４〜６図は本発明の他の気密手段を備える一実施例を示す。
以下の実施例の説明では、前述の実施例と同じ部分については実施例毎に同一の符号にａ、ｂなどの添字を付して示し、その詳しい説明を省略して主に異なる部分について説明する。
柄の支持部４ａの前部に柄の揺動軸線３ａと略平行に開く平坦な円形の開口部６ａと半球形に深く窪んだ内壁部７ａを有するお椀状の容器８ａがあり、該容器８ａの後側の開口部６ａ近くに後方に伸びるレバー部２２ａが設けてある。該レバー部２２ａの元部に容器被支持部となるピン孔があり、このピン孔を柄の支持部４ａに嵌め合わされて支持されている。そこで、容器８ａは柄の揺動軸線３ａの周りに揺動可能である。容器の開口部６ａ近くの左右の壁には蓋の揺動軸線３′上にピンからなる蓋の揺動支持部４′が設けられている。
容器８ａの上部には、蓋１１ａがその周縁部付近の横壁を前記蓋の揺動支持部４′に嵌め合わされて蓋の揺動軸線３′の周りに揺動可能に支持されている。レバー部２２ａの端にピン２１ａを介して後リンク２３ａの下端部が前後に回転自在に連結されている。一方、蓋１１ａの前端部のボス部１６ａが設けてあり、該ボス部１６ａにピン１５ａを介して前リンク２０ａの下端部が前後方向に回転自在に連結されている。
前リンク２０ａの上端側は後リンク２３ａの上端側を支持する連結ピン１９ａに回転自在に連結されており、操作ロッド手段１７ａの一つのピン上に後リンク２３ａと前リンク２０ａの上端側が支持されている。【００１３】  そこで、操作ロッド手段１７ａが上下に操作されることによって容器８ａと蓋１１ａは第４図から第５図に示される間で揺動運動をして、その開閉と糞の排出の操作が行われる。【００１４】  ここで、気密手段１２ａは、第６図に示されるように蓋の周縁部分に設けられたリング溝７１に嵌まる切り口を有するプラスチック製の割りリング７２になっている。リング溝７１の蓋の揺動軸線３′の前側の溝底７３と割りリング７２の内壁面間に弾性拡張部材の前拡張バネ７４が装着されている。一方、リング溝７１の蓋の揺動軸線３′の後側の溝底７３と割りリング７２の内壁面間に弾性拡張部材の後拡張バネ７５が装着されている。ここで、前拡張バネ７４と後拡張バネ７５は各々曲げられた時にリングの前側と後側の９０度前後の範囲亘る長さとなる細い線バネないし板バネからなり、その両端には割りリング７２側又はリング溝の溝底側に曲げ出された鉤部７６を有している。そして該鉤部７６は割りリング７２の内壁面又はリング溝の溝底の対応位置に開けられた孔７７に嵌まって保持されている。そこで、拡張バネ７４、７５はリング溝７１の溝底７３に沿って曲げられた反発力で割りリング７２を容器の内壁部の主に前側と後側に力が分布するように押し付ける。ここで、後拡張バネ７５が強く前拡張バネ７４が弱くなるように線の太さや長さを加減することが出来る。そこで、糞の排出の際に蓋がその閉止位置から開き位置に移動する時に、割りリング７２の後側は容器の後側の内壁部に強く押し当てられて動き、容器内の糞を付着するものも一緒に前方へ掻き出す効果を発揮する。リングの押し付け力の分布を所望に制御して蓋の摩擦抵抗力と容器内の気密保持力を適正に調整することが出来る。
空圧機械や内燃機関等のピストンリングの拡張バネ等と異なり、ここに用いられる割りリング７２は容器の内壁に沿って揺動軸線の周りに縦に扇形の揺動運動をするものである。そして容器の内壁に付着する糞を掻き出すように働くものである。ここに示される弾性拡張部材の配置は糞の掻き出しに適した圧力分布を与える。
【産業上の利用可能性】
【００１５】  本発明は、糞の捕捉と収納そして排出の操作に優れ、しかもその形体、美観にも優れており犬の散歩に携帯するにも抵抗を感ずることない犬糞等の捕捉運び器具であるから、ペット好きの人々や糞害に悩む人々に利用の可能性がある。
【図面の簡単な説明】
【００１６】
【図１】犬糞捕捉運び器具の一つの実施例を示す側面図で蓋を閉止した状態を示す図
【図２】第１図の実施例の蓋を全開した状態を示す側面図
【図３】第１図における３−３矢視図で一部を破断面にして示す図
【図４】本発明の他の実施例を示す犬糞捕捉運び器具の容器周りの側面図で蓋を閉止した状態を示す図
【図５】第４図の実施例の蓋を全開にした状態を示す容器周りの側面図
【図６】第４図における蓋の気密手段のリング溝の部分の水平断面図である。
【符号の説明】
【００１７】１、１ａ          柄
２、２ａ          柄部
３、３′          揺動軸線
６、６ａ          開口部
７、７ａ          内壁部
８、８ａ          容器
１１、１１ａ      蓋
１２、１２ａ      気密手段
１７、１７ａ      操作ロッド
７１              リング溝
７２              割りリング
７３              溝底
７４              前拡張バネ
７５              後拡張バネ
７６              鉤部
７７              孔
【図１】
0004984296.tif 000002
【図２】
0004984296.tif 000003
【図３】
0004984296.tif 000004
【図４】
0004984296.tif 000005
【図５】
0004984296.tif 000006
【図６】
0004984296.tif 000007